(57)【要約】      （修正有）【課題】各種の商品を包装した状態で起立させることができる包装用袋に関し、厚みのある被包装物を包装して起立させることのできる包装用袋に、さらに新たな付加価値を付与して需要者に興趣をもたらし、外観体裁を良好にするとともに、取り扱いに優れた包装用袋を提供する。【解決手段】合成樹脂製フィルムで構成された袋本体１の上部と底部との双方にガゼット部５，７が形成され、該袋本体の上部２ａ及び底部２ｂのガゼット部を展開した状態で、前記上部又は底部のいずれを載置台に載置することによっても、袋本体が起立可能となるように構成されている。【選択図】図１
2011105312.tif 000002
【特許請求の範囲】
【請求項１】
合成樹脂製フィルムで構成された袋本体（１）の上部（２ａ）と底部（２ｂ）との双方にガゼット部（７）、（５）が形成され、該袋本体（１）の上部（２ａ）及び底部（２ｂ）のガゼット部（７）、（５）を展開した状態で、前記上部（２ａ）又は底部（２ｂ）のいずれを載置台（１８）に載置することによっても、袋本体（１）が起立可能となるように構成されていることを特徴とする包装用袋。
【請求項２】
袋本体（１）の両側部（１０ａ）、（１０ｂ）にシール部（１１）、（１２）が形成され、一方の側部（１０ａ）のシール部（１１）はヘッダー部（１５）として形成されている請求項１記載の包装用袋。
【請求項３】
袋本体（１）の上部（２ａ）に開口部（４）が形成されているとともに、該袋本体（１）の一片（１ａ）の上端部が前記開口部（４）よりも上側に延出されて、該開口部（４）を開閉して袋本体（１）を封緘するための封緘片（６）が形成され、該封緘片（６）には、略Ｎ字状のガゼット部（５）が形成されている請求項１又は２記載の包装用袋。
【請求項４】
封緘片（６）の一面側、又は封緘時に前記封緘片（６）の一面側と対面する袋本体（１）の他片（１ｂ）側に接着剤（８）が設けられている請求項３記載の包装用袋。
【請求項５】
封緘片（６）の一面側、及び封緘時に前記封緘片（６）の一面側と対面する袋本体（１）の他片（１ｂ）側に、相互に嵌合可能な止具（２１）、（２２）が設けられている請求項３記載の包装用袋。
【請求項６】
封緘片（６）の一面側、及び封緘時に前記封緘片（６）の一面側と対面する袋本体（１）の他片（１ｂ）側に、相互に咬合可能なチャック（２３）、（２４）が設けられている請求項３記載の包装用袋。
【発明の詳細な説明】
【技術分野】
【０００１】
本発明は、包装用袋、さらに詳しくは、各種の商品を包装した状態で起立させることができる包装用袋に関する。
【背景技術】
【０００２】
従来から、各種の商品を包装した状態で起立させることができる包装用袋として種々のものが開発されており、そのような包装用袋に関するものとして、たとえば下記特許文献１乃至３のような特許出願がなされている。
【０００３】
特許文献１に係る発明は、当該特許文献１の請求項１に記載されているように、「合成樹脂製フイルムからなる包装用袋であって、袋本体１の開口部に蓋片２を形成すると共に、蓋片２の両脇に袖片３を連設し、さらに蓋片２及び袖片３の内側面に粘着剤４を塗布したことを特徴とする包装用袋」に関するものであり、当該特許文献１の請求項５には、「袋本体１が、底部をガゼット折りにした角底自立袋である」ことが記載されている。
【０００４】
また特許文献２に係る発明は、当該特許文献２の請求項１に記載されているように、「底部の内側に折り込まれたガゼットが押し拡がって自立を可能にした包装用袋において、前記底部に、前記ガゼットの拡がりを抑制する凸型のシール部を袋の表裏中央部に１箇所ずつ若しくは表裏中央部寄りに複数箇所ずつ設けたことを特徴とする自立安定性を高めた包装用袋。」に関するものであり、当該特許文献２の請求項３には、「上方の開口部に、この開口部を再開閉するためのファスナーを設けた」ことが記載されている。
【０００５】
さらに特許文献３に係る発明は、当該特許文献３の請求項１に記載されているように、「上端と下端の一方を熱シールすることにより他方が充填用口部となり、上端部の内側寄りの位置に幅方向の全長にわたるジッパーを設けて袋本体を形成し、この袋本体の形成後に、袋本体の上端側で両側縁の位置に、上端側の横幅が袋本体の横幅よりも狭くなるように切り欠き部を設け、この両側切り欠き部の周縁を熱シールしたジッパー付き包装用袋。」に関するものであり、当該特許文献３の請求項３には、「袋本体が、内容物を充填した状態で自立できるよう、両側がガゼットを形成するようになっている」ことが記載されている。
【０００６】
これらの包装用袋は、いずれもガゼットを具備し、被包装物を袋本体内に収納したときに、ガゼットが展開して厚みのある被包装物を好適に包装することができるとともに、袋本体の底部を載置台に載置することで、包装用袋を起立させることができるものである。
【０００７】
このように、特許文献１乃至３に記載された包装用袋は、いずれも袋本体の底部側を載置して起立させることができるものであるが、その一方で、底部と反対側の袋本体の上部には、蓋片や袖片、ファスナー、ジッパー等がそれぞれ設けられて袋本体を開閉させる機能を具備しているとともに、ガゼット等は設けられていない。従って、袋本体の上部側を載置台に載置して袋本体を起立させるようなことは当然のことながらできない。
【０００８】
すなわち、この種の包装用袋は、厚みのある被包装物を包装して起立させることを目的としているので、底部のみで起立できるように構成されていれば、その機能を十分に果たすものであり、上部側を載置台に載置することができないことが特に支障を生じさせるものではない。
【先行技術文献】
【特許文献】
【０００９】
【特許文献１】特開２００１−１５８４４０号公報
【特許文献２】特開２００５−３３５７９５号公報
【特許文献３】特開２００９−１８８１９号公報
【発明の概要】
【発明が解決しようとする課題】
【００１０】
本発明は、上記のような厚みのある被包装物を包装して起立させることのできる包装用袋に、さらに新たな付加価値を付与して需要者に興趣をもたらし、外観体裁を良好にするとともに、取り扱いに優れた包装用袋を提供することを課題とするものである。
【課題を解決するための手段】
【００１１】
本発明は、このような課題を解決するために、合成樹脂製フィルムで構成された袋本体の上部と底部との双方にガゼット部が形成され、該袋本体の上部及び底部のガゼット部を展開した状態で、前記上部又は底部のいずれを載置台に載置することによっても、袋本体が起立可能となるように構成されていることを特徴とする包装用袋を提供するものである。
【００１２】
袋本体の両側部にはシール部を形成し、一方の側部のシール部をヘッダー部として形成することが可能である。また、袋本体の上部に開口部を形成するとともに、該袋本体の一片の上端部を前記開口部よりも上側に延出して、該開口部を開閉して袋本体を封緘するための封緘片を形成することも可能である。この場合には、袋本体の上部を載置台に載置して袋本体が起立可能となるように、前記封緘片に略Ｎ字状のガゼット部を形成することが可能である。封緘片の一面側、又は封緘時に前記封緘片の一面側と対面する袋本体の他片側には接着剤を設けることが可能である。また、封緘片の一面側、及び封緘時に前記封緘片の一面側と対面する袋本体の他片側に、相互に嵌合可能な止具を設けることも可能である。さらに、封緘片の一面側、及び封緘時に前記封緘片の一面側と対面する袋本体の他片側に、相互に咬合可能なチャックを設けることも可能である。
【発明の効果】
【００１３】
本発明は、上述のように、合成樹脂製フィルムで構成された袋本体の上部と底部との双方にガゼット部が形成され、上部及び底部のガゼット部を展開した状態で、上部又は底部のいずれを載置台に載置することによっても、袋本体が起立可能となるように構成されているものであるため、このような包装用袋内に被包装物を収容した状態において、袋本体の上部のガゼット部と底部のガゼット部とがともに展開状態となり、袋本体の上下方向の全体が略同幅の状態で展開状態となるので、被包装物を袋本体内に収納した状態においても、包装用袋の外観体裁が損なわれることがなく、好適な状態で被包装物を包装することができる。
【００１４】
また、展開したガゼット部を有する袋本体の底部を載置部分に載置して袋本体を起立することができるとともに、そのように底部で載置部分に載置された状態から、袋本体を反転させて袋本体の上部を載置部分に載置しても袋本体を起立させることができる。このように、袋本体の上部と底部とのいずれの部分を載置部分に載置することによっても袋本体を起立させることができるので、これが使用者に興趣をもたらし、使用者の購買意欲を引き起こすこととなる。
【００１５】
さらに、袋本体を上下転倒させて上部及び下部のいずれの部分を載置しても起立させることができるので、包装用袋の取り扱いも容易になるという効果がある。
【図面の簡単な説明】
【００１６】
【図１】一実施形態としての包装用袋の正面図。
【図２】図１のＡ−Ａ線断面図。
【図３】図１のＢ−Ｂ線断面図。
【図４】被包装物を収納部内に収納し、袋本体の底部を載置台に載置した状態の断面図。
【図５】被包装物を収納部内に収納し、袋本体の上部を載置台に載置した状態の断面図。
【図６】袋本体の側部を上側に位置させて吊り下げ展示する状態を示す正面図。
【図７】図６のＣ−Ｃ線断面図。
【図８】他実施形態の包装用袋の正面図。
【図９】同背面図。
【図１０】図８のＤ−Ｄ線断面図。
【図１１】被包装物を収納部内に収納し、袋本体の底部を載置台に載置した状態の断面図。
【図１２】被包装物を収納部内に収納し、袋本体の上部を載置台に載置した状態の断面図。
【図１３】手提用袋として使用する状態を示す断面図。
【図１４】他実施形態の包装用袋の正面図。
【図１５】図１４のＥ−Ｅ線断面図。
【図１６】他実施形態の包装用袋の正面図。
【図１７】同背面図。
【図１８】他実施形態の包装用袋の正面図。
【図１９】図１８のＦ−Ｆ線断面図。
【図２０】被包装物を収納部内に収納し、袋本体の底部を載置台に載置した状態の断面図。
【発明を実施するための形態】
【００１７】
以下、本発明の実施形態について図面に従って説明する。
（実施形態１）
本実施形態の包装用袋の袋本体１は、全体が１枚の合成樹脂製フィルムで構成されている。この袋本体１を構成する合成樹脂製フィルムの表裏両面には、必要に応じて印刷が施されている。合成樹脂としては種々の素材のものを使用することができるが、ポリエチレンやポリプロピレンが主として使用され、特に透明性に優れ、印刷効果が優れていることから、ポリプロピレンを好適に使用することができる。
【００１８】
上記袋本体１は、図１及び図２に示すように、１枚の合成樹脂製フィルムを底部２ｂで折り返すことによって一片１ａと他片１ｂとが形成され、その一片１ａと他片１ｂとの間の空間部が、被包装物の収納部３として形成され、さらに袋本体１の上部２ａには、前記収納部３内に被包装物を収納するための開口部４が形成されている。そして、前記袋本体１の底部２ｂにおいては、合成樹脂製フィルムが図２のように略Ｗ字状に折り曲げられてガゼット部５が形成されている。
【００１９】
また、前記袋本体１の一片１ａの上端部は、前記開口部４よりも上側に延出されて、該開口部４を開閉して袋本体１を封緘するための封緘片６が形成されている。この封緘片６は、開口部４の端縁から袋本体１の一片１ａを一旦下向きに折り曲げ、さらに上向きに折り曲げられ、それによって、袋本体１の上部２ａに、図２のように略Ｎ字状のガゼット部５が形成されている。そして、該封緘片６の一面側には、接着剤８を介して離型材９が設けられている。
【００２０】
さらに、袋本体１の両側部１０ａ、１０ｂにおいては、図１及び図３に示すように、熱や超音波等によって袋本体１の一片１ａと他片１ｂとがシールされて幅の異なるシール部１１、１２が形成され、一方の側部１０ａのシール部１１には、被包装物である商品を吊り下げ展示すべく吊杆１４を挿通させる吊下用孔１３が穿設されている。このような吊下用孔１３が穿設された一方の側部１０ａのシール部１１は、商品の吊り下げ展示時においては、ヘッダー部１５として機能するものである。
【００２１】
そして、上記のような構成からなる包装用袋１６を使用する場合には、袋本体１の上部２ａの開口部４から、図４の２点鎖線で示すように収納部３内に被包装物１７を収納し、同図に示すように離型材９を剥離して封緘片６を袋本体１の他片１ｂ側に折り曲げ、接着剤８を介して封緘片６を袋本体１の他片１ｂに接着する。
【００２２】
このようにして被包装物１７が包装されることとなり、その被包装物１７に厚みがある場合には、図４に示すように、袋本体１の底部２ｂのガゼット部５と、上部２ａのガゼット部７とが好適に展開し、被包装物１７に厚みに応じて好適に包装することができる。そして、袋本体１の底部２ｂを載置台１８に載置することによって、被包装物１７が包装された包装用袋１６を、図４のように載置台１８上に好適に起立させることができる。ここで、載置台１８とは、商品を陳列するための陳列台、机、架台、その他、包装用袋１６を載置することのできるものを広く含むものである。
【００２３】
一方、図５に示すように、袋本体１を転倒させた状態において、袋本体１の上部２ａ側にもガゼット部７が形成されているので、封緘片６によって封緘された袋本体１の上部２ａ側を載置台１８に載置することもできる。このように、袋本体１の底部２ｂ側のガゼット部５及び上部２ａ側のガゼット部７の双方が好適に展開される状態となるので、袋本体１の底部２ｂ側及び上部２ａ側のいずれを載置台１８に載置することによっても、被包装物１７が包装された包装用袋１６を好適に起立させることができるのである。
【００２４】
一方、本実施形態の包装用袋１６は、載置台１８に載置するだけでなく、吊杆１４に吊り下げ展示することも可能である。すなわち、図６及び図７に示すように、シールされた袋本体１の両側部１０ａ、１０ｂのシール部１１、１２のうち、吊下用孔１３が穿設された幅広なシール部１１を上向きに位置させ、吊下用孔１３を吊杆１４に挿通させることにより、図６及び図７のように被包装物１７が包装された包装用袋１６が吊杆１４に吊り下げ展示されることとなる。
【００２５】
この場合において、吊下用孔１３が穿設された幅広なシール部１１に予め被包装物に関する表示、たとえば被包装物である商品に関する情報である商品名、販売会社名等の表示を印刷等によって施すことにより、その幅広なシール部１１を包装用袋１６のヘッダー部１５として機能させることができる。
【００２６】
このように、本実施形態においては、袋本体１の底部２ｂ及び上部２ａにそれぞれガゼット部５、７が形成され、それぞれのガゼット部５、７をともに展開させた状態において、そのガゼット部５、７が形成された袋本体１の底部２ｂ及び上部２ａのいずれの側をも載置台１８に載置して起立させることができ、袋本体１の上下を転倒させて起立可能な包装用袋１６として使用することができるとともに、袋本体１の一方の側部１０ａのシール部１１を上側に向けてヘッダー部１５として機能させて被包装物１７を吊り下げ展示することもでき、従って、このような多機能の包装状態とすることができる包装用袋を提供することができるという効果がある。
【００２７】
（実施形態２）
本実施形態では、袋本体１の両側部１０ａ、１０ｂのシール部１１、１２が、ともに同幅に形成されており、その点で、一方のシール部１１が他方のシール部１２よりも幅広に形成されていた上記実施形態１と相違する。また、本実施形態では、一方のシール部１１に上記実施形態１のような吊下用孔１３が穿設されておらず、従って、実施形態１のようにヘッダー部１５としての機能をシール部１１に具備させることができない。この点でも上記実施形態１と相違している。
【００２８】
一方、本実施形態においては、袋本体１の他片１ｂ側に長円状の把持用孔１９が穿設されており、この点で、かかる把持用孔１９が穿設されていない実施形態１と相違する。
【００２９】
袋本体１の底部２ｂ及び上部２ａにそれぞれガゼット部５、７が形成されている点は、上記実施形態１と共通する。従って、本実施形態においても、ガゼット部５、７を展開状態とすることで、図１１に示すように被包装物１７を袋本体１内に収納して袋本体１の底部２ｂを載置台１８上に載置して包装用袋１６を好適に起立させることができ、また図１２に示すように、袋本体１を反転させ、ガゼット部７が展開された袋本体１の上部２ａを載置台１８上に載置して包装用袋１６を好適に起立させることもできる。
【００３０】
さらに本実施形態においては、袋本体１の他片１ｂ側に長円状の手提用孔１９が穿設されているため、図１３に示すように、手提用孔１９に指２０を挿入することによって、被包装物１７が収納された状態において、手提用袋として使用することも可能となる。このように手提用袋として使用する場合には、図１３に示すように、手提用孔１９に指２０を挿入した際に、指２０が被包装物１７に当たらないように、被包装物１７の大きさを調整することが望ましい。
【００３１】
このように、本実施形態においても、袋本体１の底部２ｂ及び上部２ａにそれぞれガゼット部５、７が形成され、それぞれのガゼット部５、７が形成された袋本体１の底部２ｂ及び上部２ａのいずれの側をも載置台１８に載置して起立させることができ、袋本体１の上下を転倒させて起立可能な包装用袋１６として使用することができるとともに、手提用孔１９に指２０を挿入することによって、手提用袋として使用することもでき、このような多機能の包装状態とすることができる包装用袋を提供することができるという効果がある。
【００３２】
袋本体１の全体が１枚の合成樹脂製フィルムで構成されている点、１枚の合成樹脂製フィルムを底部２ｂで折り返すことによって一片１ａと他片１ｂとが形成され、その一片１ａと他片１ｂとの間の空間部が、被包装物の収納部３として形成され、さらに袋本体１の上部２ａに前記収納部３内に被包装物を収納するための開口部４が形成されている点等は、上記実施形態１と共通する。
【００３３】
（実施形態３）
本実施形態では、図１４及び図１５に示すように、袋本体１の底部２ｂにヘッダー部１５が形成されており、このようなヘッダー部１５が、袋本体１の両側部１０ａ、１０ｂのシール部１１、１２とは別に形成されている点で、上記実施形態１、２と相違している。このようなヘッダー部１５は、袋本体１の他片１ｂを下方へ延出させることによって形成されている。ヘッダー部１５には、吊杆１４を挿通させる吊下用孔１３が穿設されている。
【００３４】
袋本体１の底部２ｂ及び上部２ａにそれぞれガゼット部５、７が形成されている点は、上記実施形態１、２と共通する。従って、本実施形態においても、図示はしないが、ガゼット部５、７を展開状態とすることで、被包装物１７を袋本体１内に収納して袋本体１の底部２ｂを載置台１８上に載置して包装用袋１６を好適に起立させることができ、また袋本体１を反転させて、ガゼット部７が展開された袋本体１の上部２ａを載置台１８上に載置して包装用袋１６を好適に起立させることもできる。
【００３５】
さらに、図示はしないが、袋本体１を反転させてヘッダー部１５を袋本体１の上部２ａに位置させ、吊下用孔１３に吊杆１４を挿通させることで、吊り下げ展示用の包装用袋１６としても使用することができる。
【００３６】
従って、本実施形態においても、袋本体１の底部２ｂ及び上部２ａのいずれの側をも載置台１８に載置して起立させることができ、袋本体１の上下を転倒させて起立可能な包装用袋１６として使用することができるとともに、ヘッダー部１５の吊下用孔１３に吊杆１４を挿通させて被包装物１７を吊り下げ展示することもでき、上記実施形態１及び２と同様に、多機能の包装状態とすることができる包装用袋を提供することができるという効果がある。
【００３７】
袋本体１の全体が１枚の合成樹脂製フィルムで構成されている点、１枚の合成樹脂製フィルムを底部２ｂで折り返すことによって一片１ａと他片１ｂとが形成され、その一片１ａと他片１ｂとの間の空間部が、被包装物の収納部３として形成され、さらに袋本体１の上部２ａに前記収納部３内に被包装物を収納するための開口部４が形成されている点等は、上記実施形態１と共通する。
【００３８】
（実施形態４）
本実施形態では、図１６に示すように、封緘片６の左右に一対の止具２１、２１が取り付けられており、該止具２１、２１と嵌合可能な一対の止具２２、２２が、図１７に示すように、袋本体１の他片１ｂの上部に取り付けられている。
【００３９】
図示しないが、被包装物１７を収納して封緘片６を袋本体１の他片１ｂ側に折り曲げた後は、封緘片６側の止具２１、２１と、袋本体１の他片１ｂ側の止具２２、２２とを嵌合することによって、封緘片６が封緘されることとなる。従って、本実施形態においては、上記実施形態１乃至３のような接着剤８や離型材９は設けられていない。
【００４０】
袋本体１の底部２ｂ及び上部２ａにそれぞれガゼット部５、７が形成されている点は、上記実施形態１乃至３と共通する。従って、本実施形態においても、図示はしないが、ガゼット部５、７を展開状態とすることで、被包装物１７を袋本体１内に収納して袋本体１の底部２ｂを載置台１８上に載置して包装用袋１６を好適に起立させることができ、また袋本体１を反転させて、ガゼット部７が展開された袋本体１の上部２ａを載置台１８上に載置して包装用袋１６を好適に起立させることもできる。
【００４１】
袋本体１の全体が１枚の合成樹脂製フィルムで構成されている点、１枚の合成樹脂製フィルムを底部２ｂで折り返すことによって一片１ａと他片１ｂとが形成され、その一片１ａと他片１ｂとの間の空間部が、被包装物の収納部３として形成され、さらに袋本体１の上部２ａに、前記収納部３内に被包装物を収納するための開口部４が形成されている点等は、上記実施形態１と共通する。
【００４２】
（実施形態５）
本実施形態では、図１８及び図１９に示すように、封緘片６に雄チャック２３が取り付けられており、該雄チャック２３と咬合可能な雌チャック２４が、袋本体１の他片１ｂの上部に取り付けられている。
【００４３】
そして、図２０に示すように、被包装物１７を収納して封緘片６を袋本体１の他片１ｂ側に折り曲げた後は、封緘片６側の雄チャック２３と、袋本体１の他片１ｂ側の雌チャック２４とを咬合することによって、封緘片６が封緘されることとなる。従って、本実施形態においても、上記実施形態４と同様に、接着剤８や離型材９は設けられていない。
【００４４】
袋本体１の底部２ｂ及び上部２ａにそれぞれガゼット部５、７が形成されている点は、上記実施形態１乃至３と共通する。従って、本実施形態においても、上記図２０のように、ガゼット部５、７を展開状態とすることで、被包装物１７を袋本体１内に収納して袋本体１の底部２ｂを載置台１８上に載置して包装用袋１６を好適に起立させることができ、また図示はしないが、袋本体１を反転させて、ガゼット部７が展開された袋本体１の上部２ａを載置台１８上に載置して包装用袋１６を好適に起立させることもできる。
【００４５】
袋本体１の全体が１枚の合成樹脂製フィルムで構成されている点、１枚の合成樹脂製フィルムを底部２ｂで折り返すことによって一片１ａと他片１ｂとが形成され、その一片１ａと他片１ｂとの間の空間部が、被包装物の収納部３として形成され、さらに袋本体１の上部２ａに、前記収納部３内に被包装物を収納するための開口部４が形成されている点、袋本体１の両側部１０ａ、１０ｂにおいてシール部１１、１２が形成され、一方の側部１０ａのシール部１１に吊下用孔１３が穿設されていることで、該一方の側部１０ａのシール部１１をヘッダー部１５として構成した点等は、上記実施形態１と共通する。
【００４６】
（その他の実施形態）
尚、上記各実施形態では、開口部４が袋本体１の上部２ａに形成されていたが、これに限らず、袋本体１の底部２ｂに形成されていてもよい。
【００４７】
また、上記各実施形態では、袋本体１の開口部４を封緘する封緘片６が形成されていたが、封緘片６が形成されることは本発明に必須の条件ではない。たとえば、袋本体１の一片１ａと他片１ｂとが同じ長さに形成され、開口部４は熱シールによって袋の製造工程において予め封止されていてもよい。
【００４８】
また、上記実施形態では、合成樹脂製フィルムとして、ポリプロピレンフィルムを用いたが、本発明にかかる合成樹脂製フィルムは、プロピレンフィルムに限定されるものではなく、たとえば、ポリエチレンフィルムを使用することも可能であり、さらにはそれ以外の合成樹脂製フィルムを使用することも可能である。
【００４９】
さらに、本発明の包装用袋の用途も問わない。
【符号の説明】
【００５０】
１  袋本体
１ａ  一片
１ｂ  他片
２ａ  上部
２ｂ  底部
４  開口部
５  ガゼット部
７  ガゼット部
【図１】
2011105312.tif 000003
【図２】
2011105312.tif 000004
【図３】
2011105312.tif 000005
【図４】
2011105312.tif 000006
【図５】
2011105312.tif 000007
【図６】
2011105312.tif 000008
【図７】
2011105312.tif 000009
【図８】
2011105312.tif 000010
【図９】
2011105312.tif 000011
【図１０】
2011105312.tif 000012
【図１１】
2011105312.tif 000013
【図１２】
2011105312.tif 000014
【図１３】
2011105312.tif 000015
【図１４】
2011105312.tif 000016
【図１５】
2011105312.tif 000017
【図１６】
2011105312.tif 000018
【図１７】
2011105312.tif 000019
【図１８】
2011105312.tif 000020
【図１９】
2011105312.tif 000021
【図２０】
2011105312.tif 000022